(57)【要約】【課題】  レジューム機能に用いるメモリ領域を増加させることなくセキュリティメールのセキュリティを確保することができるようにした通信端末装置およびその制御方法を提供する。【解決手段】  セキュリティモードで編集中のセキュリティメールおよび通常メールの編集操作を中断した場合は、セキュリティメールおよび通常メールをレジュームＤＢ部５０の共通の保存領域に格納するとともに、セキュリティモードで編集中のセキュリティメールをレジュームＤＢ部５０に格納した場合で、該セキュリティモードが解除された場合は、該セキュリティメールをメールＤＢ部７０のセキュリティメール送受信ボックスへ強制保存する。【選択図】  図１
2006211428.tif 000002
【特許請求の範囲】
【請求項１】
メール機能およびセキュリティモード機能を有する通信端末装置において、
前記メール機能を用いて編集中のメールを再編集のために一時格納する編集中メール格納手段と、
登録されたセキュリティメンバを宛先とするセキュリティモードにおけるセキュリティメールの編集中に、該セキュリティメールを前記編集中メール格納手段に格納した場合で、該セキュリティモードが解除された場合は、該セキュリティメールをセキュリティメール専用記憶手段に強制保存する強制保存手段と
を具備することを特徴とする通信端末装置。
【請求項２】
前記編集中メール格納手段は、
前記セキュリティメールと通常メールとで共通の保存領域を有し、
前記セキュリティメールの編集中に該編集を強制終了した場合は、該メールをセキュリティメールとして前記共通の保存領域に格納し、
前記通常メールの編集中に該編集を強制終了した場合は、該メールを通常メールとして前記共通の保存領域に格納する
ことを特徴とする請求項１記載の通信端末装置。
【請求項３】
前記強制保存手段は、
前記セキュリティモードの解除を検出するセキュリティモード解除検出手段と、
前記セキュリティモードの解除に際して、前記編集中メール格納手段に前記セキュリティメールが保存されているかを確認する確認手段と、
前記確認手段により前記セキュリティメールが保存されていることが確認された場合は、該セキュリティメールを前記セキュリティメール専用記憶手段に強制保存する強制保存制御手段と
を具備することを特徴とする請求項１または２記載の通信端末装置。
【請求項４】
前記強制保存手段は、
前記セキュリティメールを前記セキュリティメール専用記憶手段に強制保存するに際して、該保存をユーザに確認することなく行う
ことを特徴とする請求項１乃至３のいずれかに記載の通信端末装置。
【請求項５】
メール機能およびセキュリティモード機能を有する通信端末装置の制御方法において、
登録されたセキュリティメンバを宛先とするセキュリティメールの編集中に該編集を強制終了した場合は、該メールをセキュリティメールとして編集中メール格納手段に一時格納し、
通常メールの編集中に該編集を強制終了した場合は、該メールを通常メールとして編集中メール格納手段に一時格納し、
セキュリティモードにおける前記セキュリティメールの編集中に、該セキュリティメールを前記編集中メール格納手段に格納した場合で、該セキュリティモードが解除された場合は、該セキュリティメールをセキュリティメール専用記憶手段に強制保存する
ことを特徴とする通信端末装置の制御方法。
【発明の詳細な説明】
【技術分野】
【０００１】
この発明は、携帯電話機等の通信端末装置およびその制御方法に関し、特に、セキュリティモードで編集中のセキュリティメールのセキュリティ性の向上を図った通信端末装置およびその制御方法に関する。
【背景技術】
【０００２】
最近、携帯電話機等の通信端末装置においては、特定の情報が第３者に見られてしまうことを防止するためのセキュリティモードを設定するセキュリティモード機能が設けられている。
【０００３】
このセキュリティモード機能より設定されるセキュリティモードにおいては、通信相手先の情報等が暗証番号等で保護されている。
【０００４】
このセキュリティモードを設定可能な携帯端末としては、特許文献１に開示されたものが知られている。
【０００５】
また、携帯電話機等の通信端末装置においては、一般の通話機能に加えてメール機能を有するものが一般的になっている。
【０００６】
このメール機能において、新規メールを作成、編集するためには、このメール機能を起動して、必要なメール宛先の入力、メール件名の入力、添付ファイルの指定、メール本文の入力等を行うことになるが、このメールの作成、編集途中において、着信等によりメールの作成、編集の強制終了が余儀なくされる場合がある。
【０００７】
この場合の救済方法として、従来特許文献２に記載されているように、この作成、編集中のメールデータをメモリ上に退避させ、メール作成が可能になった時点で、このメモリに退避されたメールデータを呼び出してメールの作成、編集を継続できるようにしたいわゆるレジューム機能を有する通信装置が知られている。
【特許文献１】特開２００２−２７０９２号公報
【特許文献２】特開２００３−１３４２９５号公報
【発明の開示】
【発明が解決しようとする課題】
【０００８】
ところで、特許文献１に示されたようなセキュリティモードを設定可能な携帯端末の通信端末装置において、特許文献２に示されるようなレジューム機能を採用すると以下に示すような問題がある。
【０００９】
すなわち、レジューム機能に用いるメモリ領域をセキュリティモードと通常モードとで共用すると、セキュリティモードで作成したセキュリティを必要とするセキュリティメンバを宛先とするメール（以下、セキュリティメールという）の作成、編集途中において、例えば、終話キー等の押下により該セキュリティメールの作成、編集を強制終了すると該セキュリティメールが上記メモリ領域に退避される。
【００１０】
しかし、セキュリティメールが上記レジューム機能のためのメモリ領域に退避されている状態で、セキュリティモードが解除されて通常モードに移行すると、上記レジューム機能を用いてメールの作成、編集を再開するに際して、このセキュリティメールが通常モードで表示されてしまうことになり、その結果、このセキュリティメールが第３者に見られてしまう虞がある。
【００１１】
また、この問題を解決するために、レジューム機能に用いるメモリ領域をセキュリティモードと通常モードとで別々に設けると、これによりメモリ使用量が多くなってしまうという別の問題が生じる。
【００１２】
そこで、この発明は、レジューム機能に用いるメモリ領域を増加させることなくセキュリティメールのセキュリティを確保することができるようにした通信端末装置およびその制御方法を提供することを目的とする。
【課題を解決するための手段】
【００１３】
上記目的を達成するため、請求項１の発明は、メール機能およびセキュリティモード機能を有する通信端末装置において、前記メール機能を用いて編集中のメールを再編集のために一時格納する編集中メール格納手段と、登録されたセキュリティメンバを宛先とするセキュリティモードにおけるセキュリティメールの編集中に、該セキュリティメールを前記編集中メール格納手段に格納した場合で、該セキュリティモードが解除された場合は、該セキュリティメールをセキュリティメール専用記憶手段に強制保存する強制保存手段とを具備することを特徴とする。
【００１４】
また、請求項２の発明は、請求項１の発明において、前記編集中メール格納手段は、
前記セキュリティメールと通常メールとで共通の保存領域を有し、前記セキュリティメールの編集中に該編集を強制終了した場合は、該メールをセキュリティメールとして前記共通の保存領域に格納し、前記通常メールの編集中に該編集を強制終了した場合は、該メールを通常メールとして前記共通の保存領域に格納することを特徴とする。
【００１５】
また、請求項３の発明は、請求項１または２の発明において、前記強制保存手段は、前記セキュリティモードの解除を検出するセキュリティモード解除検出手段と、前記セキュリティモードの解除に際して、前記編集中メール格納手段に前記セキュリティメールが保存されているかを確認する確認手段と、前記確認手段により前記セキュリティメールが保存されていることが確認された場合は、該セキュリティメールを前記セキュリティメール専用記憶手段に強制保存する強制保存制御手段とを具備することを特徴とする。
【００１６】
また、請求項４の発明は、請求項１乃至３のいずれかの発明において、前記強制保存手段は、前記セキュリティメールを前記セキュリティメール専用記憶手段に強制保存するに際して、該保存をユーザに確認することなく行うことを特徴とする。
【００１７】
また、請求項５の発明は、メール機能およびセキュリティモード機能を有する通信端末装置の制御方法において、登録されたセキュリティメンバを宛先とするセキュリティメールの編集中に該編集を強制終了した場合は、該メールをセキュリティメールとして編集中メール格納手段に一時格納し、通常メールの編集中に該編集を強制終了した場合は、該メールを通常メールとして編集中メール格納手段に一時格納し、セキュリティモードにおける前記セキュリティメールの編集中に、該セキュリティメールを前記編集中メール格納手段に格納した場合で、該セキュリティモードが解除された場合は、該セキュリティメールをセキュリティメール専用記憶手段に強制保存することを特徴とする。
【発明の効果】
【００１８】
この発明によれば、セキュリティモードで編集中のセキュリティメールおよび通常メールの編集操作を中断した場合は、セキュリティメールおよび通常メールを編集中メール格納手段の共通の保存領域に格納するとともに、セキュリティモードで編集中のセキュリティメールを編集中メール格納手段に格納した場合で、該セキュリティモードが解除された場合は、該セキュリティメールをセキュリティメール専用記憶手段へ強制保存するように構成したので、編集中メール格納手段のメモリ領域を増加させることなくセキュリティメールのセキュリティを確保することができるという効果を奏する。
【発明を実施するための最良の形態】
【００１９】
以下、この発明に係わる通信端末装置およびその制御方法の実施例を添付図面を参照して詳細に説明する。
【００２０】
なお、本発明の実施例及び特許請求の範囲において記載されている「セキュリティ」の状態は、第３者に対して秘密にすべき情報を通信端末装置に表示可能である状態を指す。それに対して「通常」の状態は、第３者に対して秘密にすべき情報を通信端末装置に表示しない状態を指す。本発明はこの状態に限定されることなく、逆の状態でもよい。すなわち、「セキュリティ」の状態は、第３者に対して秘密にすべき情報を通信端末装置に表示しない状態を指し、それに対して「通常」の状態は、第３者に対して秘密にすべき情報を通信端末装置に表示可能である状態を指すようにしてもよい。これらどちらの状態も特許請求の範囲に含むこととする。
【００２１】
図１は、この発明に係わる通信端末装置の概略を示すブロック図である。
【００２２】
この通信端末装置は、例えば、メールを作成、編集して送受信するメール機能および装置内の情報を第３者に見られないように隠蔽するセキュリティモードを設定するセキュリティモード機能を有している携帯電話機等の通信端末装置である。
【００２３】
また、この通信端末装置は、メールの作成、編集途中で該作成、編集を強制終了した場合に、該強制終了したメールの再編集を容易にするために、該メールを一時退避させるレジューム機能を有している。
【００２４】
図１において、この通信端末装置１００は、制御部１０、キー操作部２０、表示部３０、設定データベース部（設定ＤＢ部）４０、レジュームデータベース部（レジュームＤＢ部）５０、シェル開閉検出部６０、メールデータベース部（メールＤＢ部）７０、通信部８０、通話部９０を具備して構成される。
【００２５】
また、制御部１０は、キー入力部１１、機能設定ユーザインターフェイス制御部（機能設定ＵＩ制御部）１２、設定ＤＢアクセス部１３、レジュームＤＢアクセス部１４、レジューム処理部１５、画面描画部１６、メール作成ユーザインターフェイス制御部（メール作成ＵＩ制御部）１７、メール処理部１８、主制御部１９を具備して構成される。
【００２６】
ここで、キー操作部２０は、テンキーおよび各種機能キーを有し、この通信端末装置１００に対して各種データの入力および指示入力を行うものである。
【００２７】
また、表示部３０は、通信端末装置１００の動作にかかわる各種情報を表示するものである。
【００２８】
設定ＤＢ部４０は、この通信端末装置１００のメール機能、セキュリティモード機能等の各種機能の設定データを記憶するものである。
【００２９】
また、レジュームＤＢ部５０は、この通信端末装置１００のレジューム機能を実現するためのレジュームデータを一時記憶するものである。このレジュームＤＢ部５０は、メール機能を用いて編集中のメールを再編集のために一時格納する編集中メール格納手段に相当する。
【００３０】
また、シェル開閉検出部６０は、この通信端末装置１００のシェルの開閉、すなわち、この通信端末装置１００の折りたたみ、開きを検出するものである。
【００３１】
この実施例においては、通信端末装置１００としてシェルを開閉可能な折りたたみ式携帯電話機を想定しており、このシェル開閉を利用してセキュリティモードを自動解除するように設定することができる。この場合、セキュリティモードの解除は、このシェル開閉検出部６０の検出出力に基づき判別される。
【００３２】
なお、セキュリティモードの解除はこれに限定されることなく、図示しない機能設定のメニュー画面において解除操作を行うことにより解除されること、あるいはセキュリティモード中にある所定時間が過ぎると解除されること、あるいはセキュリティモード中にあるキーを所定時間以上押下されたとキー操作部２０が受け付けると解除するように設定してもよい。
【００３３】
また、メールＤＢ部７０は、この通信端末装置１００のメール機能にかかわる各種データを記憶するもので、この実施例においては、通常送受信メールを記憶する送受信ボックスに加えてセキュリティメール用の送受信ボックスであるセキュリティメール送受信ボックスが設けられている。
【００３４】
通信部８０は、通話およびメールの送受信を制御するものであり、通話部９０は、送話器および受話器を含み音声通話を行うものである。
【００３５】
また、制御部１０のキー入力部１１は、キー操作部２０から入力されたキー入力を受け付ける処理を行うものであり、機能設定ＵＩ制御部１２は、設定ＤＢ部４０に格納されたデータをもとに、この通信端末装置１００のメール機能、セキュリティモード機能等の各種機能の設定を制御するものであり、また、設定ＤＢアクセス部１３は、設定ＤＢアクセス部１３に対する設定データの書き込み読み出しを制御するものである。
【００３６】
また、レジュームＤＢアクセス部１４は、レジュームＤＢ部５０に対するレジュームデータの書き込み読み出しを制御するものであり、レジューム処理部１５は、レジューム機能のための処理を行うものである。
【００３７】
この実施例においては、登録されたセキュリティメンバを宛先とするセキュリティメールの編集中に該編集を強制終了した場合は、該メールデータをセキュリティメールとしてレジュームＤＢ部（編集中メール格納手段）５０に一時格納し、通常メールの編集中に該編集を強制終了した場合は、該メールを通常メールとしてレジュームＤＢ部５０に一時格納し、レジュームＤＢ部５０に格納されたメールデータを用いてメールを再編集する場合は、このレジューム機能を起動するように構成されるが、この処理は、レジュームＤＢアクセス部１４およびレジューム処理部１５により行われる。
【００３８】
画像描画部１６は、表示部３０に表示される画像を形成する処理を行い、メール作成ＵＩ制御部１７は、メール機能を用いてメールの作成、編集処理を行う場合のユーザインターフェイスを制御する。
【００３９】
メール処理部１８は、メールＤＢ部７０のデータを用いてこの通信端末装置１００のメール機能を用いたメールの作成、編集処理を制御する。また、主制御部１９は、この通信端末装置１００の全体動作を統括制御する。
【００４０】
この実施例においては、セキュリティモードにおけるセキュリティメールの編集中に、該セキュリティメールをレジュームＤＢ部（編集中メール格納手段）５０に格納した場合で、該セキュリティモードが解除された場合は、該セキュリティメールをセキュリティメール送受信ボックス（セキュリティメール専用記憶手段）に強制保存するように構成されるが、この処理は、メール処理部１８および主制御部１９により制御される。
【００４１】
図２は、図１に示した通信端末装置１００におけるセキュリティモードの設定処理を示すフローチャートである。
【００４２】
図２において、セキュリティモードの設定処理は、機能設定ＵＩ制御部１２の制御により表示部４０に表示される図示しない機能設定のメニュー画面でセキュリティモードを選択することにより開始され（ステップ２０１）、このセキュリティモードが選択されると、機能設定ＵＩ制御部１２の制御により表示部４０には、図３（ａ）に示すように、セキュリティモードに移行するためのパスワード（セキュリティＮｏ.）の入力画面が表示される。
【００４３】
このパスワードの入力画面でパスワードが入力されると（ステップ２０２でＹＥＳ）、次に、このパスワードは正しいか否かの判断がなされ（ステップ２０３）、パスワードが正しくないと（ステップ２０２でＮＯ）、セキュリティモードには移行せずに、このままこの処理を終了するが、パスワードが正しいと判断されると（ステップ２０２でＹＥＳ）、図３（ｂ）に示すセキュリティモードをオンにするかオフにするかのセキュリティモード設定画面が表示される。このセキュリティモード設定画面において「ＯＮ」を選択すると、図３（ｃ）に示すようなセキュリティモードに設定されたことを示すセキュリティモード確認画面が表示され、セキュリティモードに移行する（ステップ２０４）。
【００４４】
このセキュリティモードにおいて、機能設定ＵＩ制御部１２の制御により機能「プライバシー」を選択すると、図４（ａ）に示すような機能「プライバシー」のメニュー画面が表示され、このメニュー画面をスクロールして図４（ｂ）に示すように「７セキュリティモード設定」を選択すると（ステップ２０５でＹＥＳ）、図４（ｃ）に示すように、セキュリティモード設定のメニュー画面が表示される。
【００４５】
このセキュリティモード設定のメニュー画面からセキュリティモードの各種設定を行うことができる（ステップ２０６）。
【００４６】
例えば、図４（ｃ）のセキュリティモード設定のメニュー画面で、「１セキュリティメンバ」を選択すると、図５（ａ）に示すように、セキュリティメンバの登録に関する画面が表示され、この画面で、「１新規登録」を選択すると、図５（ｂ）に示すセキュリティメンバの新規登録の入力画面が表示される。
【００４７】
このセキュリティメンバの新規登録の入力画面により必要なデータを入力することにより、セキュリティメールの宛先であるセキュリティメンバを登録することができる。
【００４８】
また、図４（ｃ）のセキュリティモード設定のメニュー画面で、例えば、「２折りたたみ終了設定」を選択することにより、セキュリティモードをこの通信端末装置１００のシェルを閉じることにより自動終了するように設定できる。
【００４９】
図６は、図１に示した通信端末装置１００のセキュリティモードにおけるメール作成処理を示すフローチャートである。
【００５０】
セキュリティモードにおいてＥメールを新規作成するには、メール作成ＵＩ制御部１７の制御により、表示部４０に、図７（ａ）に示すＥメールメニューを表示し、「１新規作成」を選択する（ステップ６０１）。この「１新規作成」の選択により表示部には、図７（ｂ）に示すメール作成選択画面が表示される。
【００５１】
このメール作成選択画面で「セキュリティメール作成」選択すると（ステップ６０２でＹＥＳ）、図７（ｃ）に示す送信メール作成画面が表示され、ここで、「宛先」、「件名」、「添付」、「本文」等の必要なデータが入力される。
【００５２】
この場合、作成されるメールは、登録されたセキュリティメンバを宛先とするセキュリティメールであるので、「宛先」の入力に際しては、例えば、サブメニューを呼び出してセキュリティメンバとして予め登録された「宛先」選択することにより、「宛先」の入力を行うことができる。
【００５３】
また、作成するメールの宛先がセキュリティメンバとして登録されていない場合は、この時点で宛先をセキュリティメンバとして登録することができる（ステップ６０３）。
【００５４】
なお、図７（ｂ）に示すメール作成選択画面で通常メール作成が選択された場合は、通常の「宛先」入力が行われる（ステップ６０４）。
【００５５】
「宛先」入力が終了すると、次に、図７（ｃ）に示す送信メール作成画面で、「件名」、「添付」、「本文」等が入力されてメールが作成される（ステップ６０５）。
【００５６】
このメール作成途中で、キー操作部２０における終話キーの押下等により、メール作成が強制終了されると（ステップ６０６でＹＥＳ）、メール処理部１８は、この情報をレジューム処理部１５に渡し、レジューム処理部１５は、このメールの宛先がセキュリティメンバに登録されているかを調べ（ステップ６０７）、登録されている場合は（ステップ６０７でＹＥＳ）、このメールはセキュリティメールであると判断し、このメールデータをセキュリティメールとして、レジュームＤＢアクセス部１４を介してレジュームＤＢ５０に格納する（ステップ６０８）。
【００５７】
また、ステップ６０７で、このメールの宛先がセキュリティメンバに登録されていないと判断されると（ステップ６０７でＮＯ）、このメールは通常メールであると判断し、このメールデータを通常メールとして、レジュームＤＢアクセス部１４を介してレジュームＤＢ５０に格納する（ステップ６０９）。
【００５８】
図８は、図１に示した通信端末装置１００のセキュリティモード終了時の処理を示すフローチャートである。
【００５９】
なお、図８に示すフローチャートにおいては、セキュリティモードに関して通信端末装置１００のシェルが折りたたまれたときに該セキュリティモードを自動解除して通常モードに戻る「折りたたみ終了設定」がなされているとする。
【００６０】
図８において、通信端末装置１００がセキュリティモードにあるときには、シェル開閉検出部６０の出力に基づき通信端末装置１００のシェルが折りたたまれたかを調べ（ステップ８０１）、ここで、通信端末装置１００のシェルが折りたたまれたと判断されると（ステップ８０１でＹＥＳ）、通信端末装置１００のセキュリティモードが自動解除され、通常モードに戻る（ステップ８０２）。
【００６１】
通信端末装置１００が通常モードに戻ると、メール処理部１８は、メール機能を起動し（ステップ８０３）、レジューム処理部１５は、レジュームＤＢアクセス部１４を介してレジュームＤＢ部５０に格納されているレジュームメールを調べ、レジュームメールはセキュリティメールかを確認する（ステップ８０４）。
【００６２】
ここで、レジュームＤＢ部５０に格納されているレジュームメールがセキュリティメールである場合は（ステップ８０４でＹＥＳ）、ユーザに対してこのレジュームメールを用いたメール作成継続の判断を求めることなく、このレジュームメールをレジュームＤＢ部５０から読み出してメールＤＢ部７０のセキュリティ送受信ボックスに強制保存し（ステップ８０５）、この処理を終了する。この場合、レジュームＤＢ部５０に格納されていたレジュームメールは削除される。
【００６３】
なお、ステップ８０５におけるセキュリティー送受信ボックスに強制保存する場合は、未送信である旨の情報または作成中・編集中である旨の情報を付加して保存し、例えば図１０のように送信ボックスが表示された場合に、未送信・作成中・編集中である場合は「×」マークを、送信済みである場合は「○」マークを表示するようにする。
【００６４】
また、ステップ８０４で、レジュームＤＢ部５０に格納されているレジュームメールがセキュリティメールでなく通常メールであると判断されると（ステップ８０４でＮＯ）、ユーザに対して、このレジュームメールを用いたメール作成継続を行うか破棄するかを選択させ（ステップ８０６）、メール作成継続を行うと選択された場合は（ステップ８０６でＹＥＳ）、レジューム処理部１５はレジューム起動して（ステップ８０７）、レジュームＤＢ部５０に格納されているレジュームメールをメール処理部１８に渡し、このレジュームメールを用いたメール作成継続する（ステップ８０８）。
【００６５】
なお、ステップ８０６で、メール作成継続でないと判断された場合は（ステップ８０６）、レジュームＤＢ部５０に格納されているレジュームメールが破棄され、この処理を終了する。
【００６６】
ここで、レジュームＤＢ部５０に格納されているレジュームメールがセキュリティメールである場合に、メール作成継続のユーザ確認を行わないようにした理由は、この時点において通常モードに戻っているので、セキュリティメールのセキュリティ性が確保できなくなるからである。
【００６７】
図９は、図１に示した通信端末装置１００のメールＤＢ部７０のセキュリティ送受信ボックスに保存されたセキュリティメールの確認処理を示すフローチャートである。
【００６８】
通信端末装置１００のメールＤＢ部７０のセキュリティ送受信ボックスに保存されたセキュリティメールを確認するには、まず、セキュリティモードに移行する。このセキュリティモードへの移行処理は、図２に示したフローチャートのステップ２０１から２０４と同様である。
【００６９】
すなわち、ます、機能設定のメニュー画面でセキュリティモードを選択し（ステップ９０１）、次に、パスワードが入力されると（ステップ９０２でＹＥＳ）、このパスワードが正しいかを調べ（ステップ９０３）、正しいと判断されると（ステップ９０３でＹＥＳ）、セキュリティモードに移行する（ステップ９０４）。
【００７０】
そして、メール機能を起動して（ステップ９０５）、図１０に示すＥメールメニューを開く。ここでは、送信ボックス内に４通のメールがあることが示されている。そこで、この「送信ボックス」を選択すると、送信ボックス内のメール一覧を選択する一覧選択画面が表示され、ここでは、セキュリティメールのセキュリティ一覧に２通、通常メールの通常一覧に２通が含まれていることが示されている。
【００７１】
ここで、セキュリティ一覧を選択すると、２通のセキュリティメール一覧が表示され（ステップ９０７）、通常一覧を選択すると、２通の通常メール一覧が表示される。
【００７２】
なお、上記実施例では、「折りたたみ終了設定」がなされている場合の動作について説明したが、他の機能によりセキュリティモードが自動解除された場合も同様である。
【００７３】
また、セキュリティモードが解除されない場合は、レジューム保存された編集中のメールを通常メールと同様に再起動して編集することが可能になる。
【産業上の利用可能性】
【００７４】
この発明は、メールを作成、編集して送受信するメール機能および装置内の情報を第３者に見られないように隠蔽するセキュリティモードを設定するセキュリティモード機能を有する携帯電話機等の通信端末装置に利用可能である。
【００７５】
この発明によれば、セキュリティモードで編集中のセキュリティメールおよび通常メールの編集操作を中断した場合は、セキュリティメールおよび通常メールを編集中メール格納手段の共通の保存領域に格納するとともに、セキュリティモードで編集中のセキュリティメールを編集中メール格納手段に格納した場合で、該セキュリティモードが解除された場合は、該セキュリティメールをセキュリティメール専用記憶手段へ強制保存するように構成したので、編集中メール格納手段のメモリ領域を増加させることなくセキュリティメールのセキュリティを確保することができる。
【図面の簡単な説明】
【００７６】
【図１】この発明に係わる通信端末装置の概略を示すブロック図である。
【図２】図１に示した通信端末装置におけるセキュリティモードの設定処理を示すフローチャートである。
【図３】図２に示したセキュリティモードの設定処理で用いる操作画面の一例を示す図である。
【図４】図２に示したセキュリティモードの設定処理で用いる操作画面の一例を示す図である。
【図５】図２に示したセキュリティモードの設定処理で用いる操作画面の一例を示す図である。
【図６】図１に示した通信端末装置のセキュリティモードにおけるメール作成処理を示すフローチャートである。
【図７】図６に示したセキュリティモードにおけるメール作成処理で用いる操作画面の一例を示す図である。
【図８】図１に示した通信端末装置のセキュリティモード終了時の処理を示すフローチャートである。
【図９】図１に示した通信端末装置のメールＤＢ部のセキュリティ送受信ボックスに保存されたセキュリティメールの確認処理を示すフローチャートである。
【図１０】図９に示したメールＤＢ部のセキュリティ送受信ボックスに保存されたセキュリティメールの確認処理に用いる操作画面の一例を示す図である。
【符号の説明】
【００７７】
１０    制御部
１１    キー入力部
１２    機能設定ユーザインターフェイス制御部（機能設定ＵＩ制御部）
１３    設定ＤＢアクセス部
１４    レジュームＤＢアクセス部
１５    レジューム処理部
１６    画面描画部
１７    メール作成ユーザインターフェイス制御部（メール作成ＵＩ制御部）
１８    メール処理部
１９    主制御部
２０    キー操作部
３０    表示部
４０    設定データベース部（設定ＤＢ部）
５０    レジュームデータベース部（レジュームＤＢ部）
６０    シェル開閉検出部
７０    メールデータベース部（メールＤＢ部）
８０    通信部
９０    通話部
１００    通信端末装置
【図１】
2006211428.tif 000003
【図２】
2006211428.tif 000004
【図３】
2006211428.tif 000005
【図４】
2006211428.tif 000006
【図５】
2006211428.tif 000007
【図６】
2006211428.tif 000008
【図７】
2006211428.tif 000009
【図８】
2006211428.tif 000010
【図９】
2006211428.tif 000011
【図１０】
2006211428.tif 000012